(57)【特許請求の範囲】
【請求項１】
画像表示装置を支持すると共に床面と平行である底板部の上面に固定される少なくとも一つの支柱部を備える支持装置において、
前記支柱部は、
前記底板部に向かって湾曲した形状の部材を有する第１の支柱部材と、
前記湾曲した形状の部材の外周側に締結・配置される第２の支柱部材と、
前記第２の支柱部材の上部と下部に引張荷重を加えるべく、前記第２の支柱部材に張力を調整可能に付与する張力付与手段とを備えることを特徴とする支持装置。
【請求項２】
前記湾曲した形状の部材の材質は、前記第２の支柱部材の材質と比べて密度が小さく、圧縮荷重の耐力値が高く、引張荷重の耐力値が低いことを特徴とする請求項１記載の支持装置。
【請求項３】
前記第１の支柱部材の材質はアルミであり、前記第２の支柱部材の材質は鉄あるいはステンレスであることを特徴とする請求項１又は２記載の支持装置。
【請求項４】
前記湾曲した形状の部材の断面形状はＨ形であることを特徴とする請求項３記載の支持装置。
【発明の詳細な説明】
【技術分野】
【０００１】
本発明は、支持装置に関し、特に画像表示装置を支持する支持装置に関する。
【背景技術】
【０００２】
近年大型のプラズマディスプレイ装置や液晶ディスプレイ装置等（以下、単に「画像表示装置」という。）が実用化され従来のＣＲＴに比べて薄型の画像表示装置が普及し、ＴＶ等に用いられている。視聴者はこれらの画像表示装置を卓上型スタンド、または床置き型スタンドに取り付けて使用している。
【０００３】
一般的に市販されている床置き型スタンドに取付けられている大型の画像表示装置について図１２、図１３を参照しながら説明を加える（例えば、特許文献１参照）。
【０００４】
画像表示装置５１は、薄型の液晶ディスプレイ装置であって、その底部を床置き型スタンド５３が支持すると共に、周辺機器５６と接続する。画像表示装置５１は、薄型画像表示部５２を備えると共に、不図示のスピーカーとチューナーを内蔵しており、テレビ放送を視聴することが可能である。床置き型スタンド５３は、スタンド支柱５４、台座プレート５５で構成され、周辺機器設置場所５３ａを有している。
【０００５】
スタンド支柱５４は、画像表示装置５１の正面から見て左右両脇に１本づつ有し、図１３に示すように、画像表示装置５１の前後方向の重心５１ａの略一致した重心位置５４ａで画像表示装置５１を支持する。台座プレート５５は、その上に置かれた構造物全体の質量、すなわち、床置き型スタンド５３及び画像表示装置５１の質量を支えている。周辺機器５６は、ＤＶＤレコーダなどの録画再生機能を備えた装置である。
【０００６】
このように、従来の画像表示装置５１の前後方向の重心５１ａと、スタンド支柱５４の前後方向の重心位置５４ａとは略一致している。
【０００７】
一方、デザイン的な要求により、図１４のスタンド支柱６４のように、台座プレート６５に向かって略湾曲させた形状が望まれる場合がある。この場合、画像表示装置６２の前後方向の重心６２ａと、スタンド支柱６４の前後方向の重心位置６４ａとが前後方向にずれ、スタンド支柱６４が画像表示装置６２の質量を直下で受けられなくなる。
【０００８】
具体的には、画像表示装置６１は、薄型の液晶ディスプレイ装置であって、その底部を床置き型スタンド６３が支持すると共に、周辺機器６６と接続する。画像表示装置６１は、薄型画像表示部６２を備えると共に、不図示のスピーカーとチューナーを内蔵しており、テレビ放送を視聴することが可能である。床置き型スタンド６３は、スタンド支柱６４、台座プレート６５で構成され、周辺機器設置場所６３ａを有している。
【０００９】
スタンド支柱６４は、画像表示装置６１を正面から見て中央に１本有し、画像表示装置６１の重心６１ａとは前後方向にずれた重心位置６４ａで画像表示装置６１を支持する。台座プレート６５は、その上に置かれた構造物全体の質量、すなわち、床置き型スタンド６３及び画像表示装置６１の質量を支えている。周辺機器６６は、ＤＶＤレコーダなどの録画再生機能を備えた装置である。
【特許文献１】特開２００３−２４１６７３号公報
【発明の開示】
【発明が解決しようとする課題】
【００１０】
しかしながら、近年画像表示装置においては大画面化が進んでおり、これに伴い、画像表示装置全体の重量が増大する傾向にある。
【００１１】
図１２、図１３に示す従来の床置き型スタンド５３は、画像表示装置５１の質量を直下のスタンド支柱５４が支えていた。このため、画像表示装置５１全体の重量が増大した場合は、スタンド支柱５４の材質を圧縮荷重に強い金属にすれば、床置き型スタンド５３で画像表示装置５１を支えることができる。
【００１２】
しかしながら、図１４に示す湾曲形状をもつ床置き型スタンド６３は、画像表示装置６１の重心６１ａとは前後方向にずれた重心位置６４ａで画像表示装置６１を支持する。このため、画像表示装置６１全体の重量が増大した場合に、スタンド支柱６４の材質を金属としても、スタンド支柱６４に加わる曲げ荷重に対して十分な強度を与えることができない場合がある。金属は圧縮荷重には強いが、曲げ荷重に弱いという性質を有するからである。
【００１３】
また、上記曲げ荷重に対して十分な強度を与えるべく、スタンド支柱６４に厚みを与えると、床置き型スタンド６３全体が大きくなり、近年薄型化が進んでいる画像表示装置とデザイン的に釣り合いが取れなくなる傾向があった。
【００１４】
本発明は、画像表示装置（ディスプレイ）の重心位置と、その底部を支持する支持装置（スタンド）の重心位置とが前後方向にずれている場合であっても、画像表示装置を支持するのに必要な強度を持たせることができる支持装置を提供することにある。また本発明は、ひいては軽量化且つ小型化を図ることができる支持装置を提供することにある。
【課題を解決するための手段】
【００１５】
上記目的を達成するために、請求項１記載の支持装置は、画像表示装置を支持すると共に床面と平行である底板部の上面に固定される少なくとも一つの支柱部を備える支持装置において、前記支柱部は、前記底板部に向かって湾曲した形状の部材を有する第１の支柱部材と、前記湾曲した形状の部材の外周側に締結・配置される第２の支柱部材と、前記第２の支柱部材の上部と下部に引張荷重を加えるべく、前記第２の支柱部材に張力を調整可能に付与する張力付与手段とを備えることを特徴とする。
【発明の効果】
【００１６】
本発明によれば、支持装置に画像表示装置を支持するのに必要な強度を持たせることができ、ひいては支持装置の軽量化且つ小型化を図ることができる。
【発明を実施するための最良の形態】
【００１７】
以下、本発明の実施の形態を図面を用いて詳述する。
【００１８】
図１は、本発明の第１の実施の形態に係る支持装置としてのスタンドに取り付けられているディスプレイを示す正面図である。図２は、図１のスタンドに取り付けられているディスプレイを示す側面図である。
【００１９】
図１において、ディスプレイ２は、スタンド４及び台座プレート３により下方で支持される。
【００２０】
ディスプレイ２は、内部に電子放出素子を用いた薄型画像表示部であって、支持構造体、電気回路を内蔵する。ディスプレイ２は、さらにスピーカーとチューナーを内蔵し、テレビ放送を視聴することが可能である。ディスプレイ２の下部には、スタンド４の凸部と嵌合する嵌合穴２ａを設けている。重心２ｂは、ディスプレイ２の前後方向の重心を表す。
【００２１】
台座プレート３（底板部）は、床面と平行であって画像表示装置１の底部に位置し、一定の面積を有する板状の構成部品である。この台座プレート３は、該画像表示装置１が転倒しないよう安定した姿勢を維持するために、全体の質量を支える剛性を有する。
【００２２】
スタンド４は、前記ディスプレイ２の底部と前記台座プレート３の上面部に固着することでディスプレイ２の支持部となる。上部では嵌合穴２ａに凸部を挿入してネジ（図示せず）で固定し、下部は前記台座プレート３にネジ（図示せず）止めされる。また、図２に示すように、スタンド４の重心位置４ｂと、前記ディスプレイ２の重心２ａの位置が、前後方向について位相がずれたデザインとなっている。詳細は後述するが、スタンド４は２本で１組の同一形状の支柱（支柱部）４ａが引張荷重を受ける構成部品と圧縮荷重を受ける構成部品を有している。
【００２３】
図３は、図１におけるスタンド４の支柱４ａの全体構成を示す斜視図である。図４は、図３の支柱４ａにおける引張荷重受け部の構成を示す斜視図である。図５は、支柱４ａにおける圧縮荷重受け部の構成を示す斜視図である。
【００２４】
図３〜図５において、支柱４ａは、台座プレート３に向かって湾曲した形状を有する圧縮荷重受け部６（第１の支柱部材）と、圧縮荷重受け部６の湾曲した形状の外周側に締結・配置される引張荷重受け部５（第２の支柱部材）とを備える。また、支柱４ａは、引張荷重受け部５及び圧縮荷重受け部６の間に配置されるナットプレート８と、支柱４ａは、ナットプレート８の不図示の雌ネジと嵌合する張力調整用ネジ７（張力付与手段）と、引張荷重受け部５の上面に設けられる締結ブラケット９とを備える。
【００２５】
図４に示すように、引張荷重受け部５は、鉄あるいはステンレスの板材から成り、プレス加工により略垂直部に複数の曲げ部５ａを備える。また、引張荷重受け部５は、その上部にディスプレイ２の底部と密着状態となる平面形状をした板金平面上部５ｂと、該板金平面上部５ｂにある複数の穴５ｃとを備える。また、引張荷重受け部５は、板金平面上部５ｂの一部を９０度に切り起こした切起し部５ｄと、該切起し部５ｄにプレスあるいはレーザー加工により開けられたネジ（図示せず）を通すための複数の穴５ｅとを備える。さらに、引張荷重受け部５は、その上部最端部となる直角曲げ上部５ｆと、その略垂直部間にプレスあるいはレーザー加工により開けられたネジを通すための複数の穴５ｇとを備える。また、引張荷重受け部５は、その下部に台座プレート３の上面部と密着状態となる平面形状をした板金平面底部５ｈと、その下部最端部には直角曲げ下部５ｉとを有する。
【００２６】
圧縮荷重受け部６は、鉄あるいはステンレス（第２の材質）よりも比重の軽い（密度が小さい）アルミ（第１の材質）から成る。また、圧縮荷重受け部６は、鋳造又は切削加工により作られることにより、剛性が与えられている。
【００２７】
図５に示すように、圧縮荷重受け部６は、その上部に前記板金平面上部５ｂの下面と接する平面上部６ａと、該平面上部６ａにある複数の雌ネジ部６ｂとを備える。ここで、平面上部６ａの表面は、板金平面上部５ｂと密着状態になるよう機械加工により適度な平面度をもって形成される。
【００２８】
圧縮荷重受け部６は、外フランジ６ｄ、内フランジ６ｅ、および中リブ６ｆで構成される断面６ｃにおける形状が略Ｈ形の湾曲した部品を有する。また、圧縮荷重受け部６は、外フランジ６ｄの外側に複数の凸リブ６ｇを備えており、この複数の凸リブ６ｇを用いて引張荷重受け部５の曲げ部５ａと密着する。ここで、凸リブ６ｇのコーナー部には引張荷重受け部５と接する部分の稜線にＲが適度に施されている。これにより、引張荷重受け部５の曲げ部５ａと凸リブ６ｇとの密着性をより高めることができる。
【００２９】
圧縮荷重受け部６は、その下部に引張荷重受け部５の板金平面下部５ｈの上面と接する平面下部６ｈを備えている。この平面下部６ｈは、引張荷重受け部５の板金平面下部５ｈと密着状態になるよう機械加工により適度な平面度をもって形成される。
【００３０】
また、圧縮荷重受け部６は、平面下部６ｈの上面と接するリブ６ｉを有する。これにより、平面下部６ｈの強度補強、および、略垂直部と下部との結合部の強度補強を行うことができる。
【００３１】
上述した中リブ６ｆは、タップ用ボス６ｊを複数備える。これにより、スタンド４を隠すための化粧カバー（図示せず）をネジ止めすることができる。
【００３２】
図３に示すように、張力調整用ネジ７は、一般的に使用されている雄ネジ部を有する金属製のネジであり、ナットプレート８は、金属製の適度な剛性を有する板形状をしていて、前記張力調整用ネジ７と嵌合する雌ネジ部（図示せず）を複数有する。
【００３３】
締結ブラケット９は、切起し部５ｄに密着する断面略コの字の板金であり、プレス加工によりフランジ部９ａの曲げ形状も形成している。締結ブラケット９は、略コの字部には穴５ｅと対向する位置に雌ネジ（図示せず）を有する。このフランジ９ａと板金平面上部５ｂは密着する形状になっている。さらに、締結ブラケット９は、穴５ｃ及び雌ネジ部６ｂと同軸上にあるネジ止め用の穴９ｃを有する。
【００３４】
以上で本発明の構造の説明を終了し、次に支柱４ａの組立て方法について説明する。
【００３５】
図６は、スタンド４を組立てる手順を説明するのに用いられる側面図である。図６において、同一部品には同一番号を付記する。
【００３６】
図６（ａ）では、引張荷重受け部５の穴５ｇに、張力調整用ネジ７を通し、さらに、ナットプレート８の雌ネジ部（図示せず）に通した状態である。次に、圧縮荷重受け部６の平面下部６ｈ先端部に、直角曲げ下部５ｉを引っ掛け、該直角曲げ下部５ｉを中心にして、引張荷重受け部５を上方（図６（ａ）向かって反時計回り）に回転させる。この回転は、直角曲げ上部５ｆが平面上部６ａに当たった状態（図６（ｂ）の点線で示す状態）になるまで行う。
【００３７】
図６（ｂ）では、直角曲げ上部５ｆが、平面上部６ａを乗り越えるため、引張荷重受け部５を矢印５ｊ方向へ弾性変形させる。
【００３８】
図６（ｃ）では、直角曲げ上部５ｆが、平面上部６ａの先端に押し込むように引っ掛かける。これにより、該平面上部６ａ及び板金平面上部５ｂと、凸リブ６ｇ及び引張荷重受け部５とが密着状態になり、且つ張力調整用ネジ７の先端と外フランジ６ｂとが略密着状態になる。次に、締結ブラケット９の略コの字部と、切起し部５ｄとを密着状態にし、さらに、曲げフランジ９ａと板金平面上部５ｂとを密着状態にして、ネジ（図示せず）を、穴９ｃ、穴５ｃに貫通させて雌ネジ部６ｂに止めて締結ブラケット９と板金平面上部５ｂを固着する。
【００３９】
図６（ｄ）では、ナットプレート８が圧縮荷重受け部６から遠ざかるように張力調整用ネジ７を回す。それにともない引張荷重受け部５も圧縮荷重受け部６から遠ざかる。引張荷重受け部５に適度に引張荷重５ｋが掛かり、圧縮荷重受け部６には引張荷重６ｋ、圧縮荷重６ｍが掛かるように全ての張力調整用ネジ７を調整する。つまり、張力調整用ネジ７は引張荷重受け部５及び圧縮荷重受け部６に張力を調整可能に付与する。なお、図６（ｄ）における引張荷重５ｋ、引張荷重６ｋ、圧縮荷重６ｍの矢印の長さは荷重値の略大きさを表す。本作業により、スタンド４の支柱４ａが１本完成する。
【００４０】
図６（ｅ）では、前記支柱４ａを２本並べたスタンド４を台座プレート３にネジ（図示せず）で固着する。ディスプレイ２の嵌合穴２ａに切起し部５ｄと一体化した締結ブラケット９を差込み、ディスプレイ２の下部と板金平面上部５ｂが密着した状態で固定ネジ１０で固定する。ディスプレイ２の質量は板金平面上部５ｂを介してスタンド４と台座プレート３に支えられる。ディスプレイ２の質量をスタンド４が受けることにより、引張荷重受け部５に引張荷重５ｍ、圧縮荷重受け部６には圧縮荷重６ｎ、引張荷重６ｐが掛かる。なお、図６（ｅ）における引張荷重５ｍ、圧縮荷重６ｎ、引張荷重６ｐの矢印の長さは荷重値の略大きさを表す。本作業により、ディスプレイ２をスタンド４及び台座プレート３で支持することができる。
【００４１】
次にスタンド４の支柱４ａの特徴について説明する。
【００４２】
図２に示すように、ディスプレイ２の重心位置２ｂとそれを支持するスタンド４の重心位置４ｂとが前後方向にずれている場合、支柱４ａにはディスプレイ２の質量により曲げモーメントが生じ圧縮荷重と引張荷重が作用する。
【００４３】
支柱４ａにおいて、圧縮荷重受け部６の圧縮荷重（６ｎ，６ｍ）が掛かる部分には、鉄あるいはステンレスより比重が軽く圧縮荷重に強い材質、本実施の形態ではアルミが、その他の部分には鉄あるいはステンレスが用いられる。さらに、この圧縮荷重が掛かる部分は、鋳造あるいは削りにより断面形状がＨ型となるよう加工された支柱構造を有する。この支柱構造は、その上部と下部で引張荷重（５ｋ，５ｍ）が掛かる部材、すなわち引張荷重受け部５を固定する配置とした。また、この引張荷重受け部５には、引張荷重による耐力値が高い材質、本実施の形態では鉄あるいはステンレスからなる板状部材が用いられる。
【００４４】
以上、本実施の形態によれば、圧縮荷重受け部６の部材の全てを鉄あるいはステンレスにするのでなく、圧縮荷重が掛かる部分はアルミを使用する。これにより、圧縮荷重受け部６の部材を全て鉄あるいはステンレスとした場合と同程度の剛性、同程度のサイズを維持しつつ、軽量化が可能となり、さらに圧縮荷重受け部６の重心が低くなるため、スタンド４を転倒しにくい安定したものとすることができる。
【００４５】
また、本実施の形態によれば、支柱４ａの部材を全てアルミにするのでなく、引張荷重が掛かる部材（引張荷重受け部５）は鉄あるいはステンレスとする。これにより、支柱４ａの部材を全てアルミとした場合と比べて軽量化は図れないものの、補強のために引張荷重受け部５の外形寸法を大きくしなくても支柱４ａを構成することができる。
【００４６】
更に、図６（ｄ）で上述したように、支柱４ａ単体の状態で張力調整用ネジ７を回すことで、引張荷重受け部５に引張荷重５ｋを予め加えておく。これにより、ディスプレイ２の質量によるスタンド４に掛かる曲げモーメントを相殺することができる。すなわち、上記張力によって、圧縮荷重受け部６には予め圧縮荷重６ｍが掛けられた状態となるので、耐力以上の引張荷重が掛かることを防止できる。この結果、ディスプレイ２がスタンド４で支持されている状態で耐力値内の引張荷重を活用できる。またかかる構成を採ることにより、支柱４ａ内の力の掛かり具合を意図的に調整できるようになり、スタンド４を最適な形状にすることができる。
【００４７】
このように、本実施の形態では、スタンド４の支柱４ａは、圧縮荷重を受ける構造体（圧縮荷重受け部６）と引張荷重を受ける構造体（引張荷重受け部５）により構成される。さらに、ディスプレイ２をスタンド４で支持する前に引張荷重受け部５に与える張力を調整して、圧縮荷重受け部６に対して予め圧縮荷重を与えておく。これにより、ディスプレイ２をスタンド４で支持したときの圧縮荷重受け部６が受ける引張荷重を最適値に調整でき、スタンド４を最適な形状にすることができる。
【００４８】
以上説明したように、本実施の形態にかかるスタンド４を利用することで以下のような効果が得られる。
【００４９】
第１に、ディスプレイ２の重心位置と、それを支持するスタンド４の重心位置が前後方向にずれている場合であっても、スタンド４を軽量、小型化することができ、かつスタンド４がディスプレイ２を支持するのに必要な強度を持たせることができる。
【００５０】
第２に、スタンド４の部品の一部に、軽量且つ切削性・加工性に優れたアルミを用いるので、スタンド４全体の軽量化を図ることができ、また加工や組立ての際の取扱いを向上させることができる結果、輸送費も含めコストを低減させることができる。
【００５１】
図７は、本発明の第２の実施の形態に係るスタンドの支柱の全体構成を示す斜視図である。図８は、図７の支柱における圧縮荷重受け部の構成を示す斜視図である。図９は、図７における押付け金具の詳細構成図であって、（ａ）は正面図、（ｂ）は上面図を示す。図１０は、図７における引張金具の詳細構成図であって、（ａ）は正面図、（ｂ）は側面図を示す。図１１は、図７のスタンドを部品から組立てる手順を説明するのに用いられる側面図である。
【００５２】
尚、本実施の形態にかかるスタンドは、第１の実施の形態にかかるスタンド４の構成要素と基本的に同じであり、同一の構成要素には同一の符号を付記または省略し、スタンド４と異なる構成要素についてのみ説明する。
【００５３】
図７〜１１において、引張荷重受け部（ワイヤー）１２は、鉄あるいはステンレスの１本の線、あるいは複数の細い線を編んだワイヤーから成り、適度な長さを有す。引張荷重受け部１２は、その両端部に、アルミ製の輪形状を有する２つのカシメ金具１２ａをかしめる（潰して塑性変形させる）ことで形成された輪形状部１２ｂを有する。この輪形状部１２ｂの形成は、具体的には、引張荷重受け部１２の両端部を折り返した状態で夫々別のカシメ金具１２ａに通した後、カシメ金具１２ａを２つともかしめて、引張荷重受け部１２の両端部を固定することにより行われる。
【００５４】
圧縮荷重受け部１３は、第１の実施の形態にかかる圧縮荷重受け部６と同じ材質で構成され、且つほぼ同じ形状を有する。従って、以下、圧縮荷重受け部６と異なる形状についてのみ説明する。
【００５５】
圧縮荷重受け部１３は、図８に示すように、その上部に切削加工により適度な平面度をもった平面上部１３ａを有する。平面上部１３ａの一部は、一段凹んだ面になるように切削加工された適度な平面度を持った略Ｔ字面１３ｂが形成されている。
【００５６】
また、圧縮荷重受け部１３は、外フランジ１３ｃは第１の実施の形態にかかる外フランジ６ｄと同一形状をなしており複数の雌ネジ部１３ｄ、複数の雌ネジ下部１３ｅを有する。
【００５７】
さらに、圧縮荷重受け部１３は、平面上部１３ａの先端部にフライスにより切削加工された引張金具凹部１３ｆを有する。略Ｔ字面１３ｂと引張金具凹部１３ｆにより形成された部分は、引張金具１７の略コの字曲げ部１７ａ（図７）が嵌合し摺動する部分となる。詳細については、図１０を用いて後述する。この引張金具凹部１３ｆの横幅１３ｇは略Ｔ字面１３ｂの中央溝１３ｈの幅と同一となるよう形成される。
【００５８】
張力調整用ネジ１４（図７）は、一般的に使用されている雄ネジ部を有する金属製のネジであり、詳細の説明は省略する。
【００５９】
押付け金具１５は、金属製の適度な剛性を有する板形状（図９（ａ））をしていて、プレスあるいはレーザーにより外形、および、中央穴１５ａ（図９（ｂ））が加工されている。図９（ａ）に示すように、押付け金具１５は、その左右両端はプレス曲げにて両端曲げ部１５ｂを有し、その中央部には前記引張荷重受け部１２と当接する当て面１５ｃを有する。
【００６０】
段付きネジ１６（図７）は、同一軸上に、先端部に雄ネジ部（図示せず）、その隣に雄ネジ部より直径が大きい円柱部１６ａ、その隣に円柱部１６ａより直径が大きいフランジ部１６ｂが一体で切削加工された金属製の部品である。
【００６１】
引張金具１７（図７）は、外形がプレスあるいはレーザーにより加工された金属製の適度な剛性を有する板金で、図１０（ａ）に示すように略Ｔ字形状をしている。略Ｔ字の下部には、図１０（ｂ）に示すように、プレス加工により２回直角に曲げられた略コの字曲げ部１７ａがあり、略Ｔ字面１３ｂと当接する当接面１７ｂと連続した略コの字曲げ部１７ａに雌ネジ１７ｃが施されている。また、略Ｔ字面１３ｂの上部にも２つの雌ネジ１７ｄが施されている。雌ネジ部１７ｄには後述する段付きネジ１９が当接面１７ｂと反対の面から嵌め込まれ、これにより、段付きネジ１９が引張金具１７に固定される。この段付きネジ１９の雄ネジ部（図示せず）は当接面１７ｂから飛び出さない構造になっている。
【００６２】
引張ネジ１８（図７）は、一般的に使用されている雄ネジ部を有する金属製のネジであり、詳細の説明は省略する。
【００６３】
段付きネジ１９（図７）は、前記段付きネジ１６と同一の形状、材質からなる構成部品であるため、詳細の説明は省略する。
【００６４】
次にスタンド１１の組立て方法について説明する。
【００６５】
図１１は、スタンド１１を組立てる手順を説明するのに用いられる側面図である。図１１において、同一部品には同一番号を付記する。
【００６６】
図１１（ａ）では、略Ｔ字面１３ｂに引張金具１７の当接面１７ｂを密着させ、引張金具凹部１３ｅに略コの字曲げ部１７ａをはめ込む。引張荷重受け部１２を、段付きネジ１６のフランジ部１６ｂと外フランジ１３ｃとの間にはめ込み、両端の輪形状部１２ｂに段付きネジ１９をそれぞれ通し、雌ネジ１７ｄ（図１０）に段付きネジ１９をねじ止めする。引張荷重受け部１２におおよその張力を張らせるために雌ネジ１７ｃに取り付けた引張ネジ１８を回し張力方向１７ｅに引張金具１７を移動させる。以上の作業で引張荷重受け部１２の組立てと、第一の張力調整を終了する。
【００６７】
図１１（ｂ）では、引張荷重受け部１２におおよその張力が張れた後、押付け金具１５が外フランジ１３ｃに近づくように全ての張力調整用ネジ１４を適度に締め付ける。これにより、引張荷重受け部１２に更なる引張荷重１２ｋが掛かり、圧縮荷重受け部１３には引張荷重１３ｋ、圧縮荷重１３ｍが掛かる。なお、図１１（ｂ）における引張荷重１２ｋ、引張荷重１３ｋ、圧縮荷重１３ｍの矢印の長さは荷重値の略大きさを表す。以上の作業で、第二の張力調整が終了し、スタンド１１の支柱１１ａが１本完成する。
【００６８】
図１１（ｃ）では、完成した支柱１１ａ並べたスタンド１１に、第１の実施の形態と同様、台座プレート３及びディプレイ２を固定する。ディスプレイ２の質量をスタンド１１が受けることにより、引張荷重受け部１２に引張荷重１２ｍ、圧縮荷重受け部１３には圧縮荷重１３ｎ、引張荷重１３ｐが掛かる。なお、図１１（ｃ）における引張荷重１２ｍ、圧縮荷重１３ｎ、引張荷重１３ｐの矢印の長さは荷重値の略大きさを表す。本作業により、ディスプレイ２をスタンド１１及び台座プレート３で支持することができる。
【００６９】
次にスタンド１１の支柱１１ａの特徴について説明する。
【００７０】
図２に示すように、ディスプレイ２の重心位置２ｂとそれを支持するスタンド１１の重心が前後方向にずれている場合、支柱１１ａにはディスプレイ２の質量により曲げモーメントが生じ圧縮荷重と引張荷重が作用する。
【００７１】
支柱１１ａにおいて、圧縮荷重受け部１３の圧縮荷重（１３ｎ，１３ｍ）が掛かる部分には、鉄あるいはステンレスより比重が軽く圧縮荷重に強い材質、本実施の形態ではアルミが、その他の部分には鉄あるいはステンレスが用いられる。さらに、この圧縮が掛かる部分は、鋳造あるいは削りにより断面形状がＨ型となるように加工された支柱構造を有する。この支柱構造は、その上部と下部で引張荷重（１２ｋ，１２ｍ）が掛かる部材、すなわち引張荷重受け部１２を固定する配置とした。また、この引張荷重受け部１２には、引張荷重による耐力値が高い材質、本実施の形態では鉄あるいはステンレスからなるワイヤーが用いられる。
【００７２】
以上、本実施の形態によれば、圧縮荷重受け部１３の部材の全てを鉄あるいはステンレスにするのでなく、圧縮荷重が掛かる部分はアルミを使用する。これにより、圧縮荷重受け部１３の部材を全てを鉄あるいはステンレスとした場合と同程度の剛性、同程度のサイズを維持しつつ、軽量化が可能となり、さらに圧縮荷重受け部１３の重心が低くなるため、スタンド１１を転倒しにくい安定したものとすることができる。
【００７３】
また、本実施の形態によれば、支柱１１ａの部材を全てをアルミにするのでなく、引張荷重が掛かる部材（引張荷重受け部１２）は鉄あるいはステンレスとする。これにより、支柱１１ａの部材を全てアルミとした場合と比べて軽量化は図れないものの、補強のために引張荷重受け部１２の外形寸法を大きくしなくても支柱１１ａを構成することができる。
【００７４】
更に、図１１（ａ），（ｂ）で上述したように、支柱１１ａ単体の状態で引張ネジ１８及び張力調整用ネジ１４を回すことで、引張荷重受け部１２に引張荷重１２ｋを予め加えておく。これにより、ディスプレイ２の質量によるスタンド１１に掛かる曲げモーメントを相殺することができる。すなわち、上記張力によって、圧縮荷重受け部１３には予め圧縮荷重１３ｍが掛けられた状態となるので、耐力以上の引張荷重が掛かることを防止できる。この結果、ディスプレイ２がスタンド１１で支持されている状態で耐力値内の引張荷重を活用できる。またかかる構成を採ることにより、支柱１１ａ内の力の掛かり具合を意図的に調整できるようになり、スタンド１１を最適な形状にすることができる。
【００７５】
このように、本実施の形態では、スタンド１１の支柱１１ａは、圧縮荷重を受ける構造体（圧縮荷重受け部１３）と引張荷重を受ける構造体（引張荷重受け部１２）により構成される。さらに、ディスプレイ２をスタンド１１で支持する前に引張荷重受け部１２に与える張力を調整して、圧縮荷重受け部１３に対して予め圧縮荷重を与えておく。これにより、ディスプレイ２をスタンド１１で支持したときの圧縮荷重受け部１３が受ける引張荷重を最適値に調整でき、スタンド１１を最適な形状にすることができる。
【００７６】
以上説明したように、本実施の形態にかかるスタンド１１を利用することで以下のような効果が得られる。
【００７７】
第１に、ディスプレイ２の重心位置と、それを支持するスタンド１１の重心位置とが前後方向にずれている場合であっても、スタンド１１を軽量、小型化、かつスタンド１１がディスプレイ２を支持するのに必要な強度を持たせることができる。
【００７８】
第２に、スタンド１１の部品の一部に、軽量且つ切削性・加工性に優れたアルミを用いるので、スタンド１１全体の軽量化を図ることができ、また加工や組立ての際の取扱いを向上させることができる結果、輸送費も含めコストを低減させることができる。
【図面の簡単な説明】
【００７９】
【図１】本発明の第１の実施の形態に係る支持装置としてのスタンドに取り付けられているディスプレイを示す正面図である。
【図２】図１のスタンドに取り付けられているディスプレイを示す側面図である。
【図３】図１におけるスタンドの支柱の全体構成を示す斜視図である。
【図４】図３の支柱における引張荷重受け部の構成を示す斜視図である。
【図５】支柱における圧縮荷重受け部の構成を示す斜視図である。
【図６】スタンドを組立てる手順を説明するのに用いられる側面図である。
【図７】本発明の第２の実施の形態に係るスタンドの支柱の全体構成を示す斜視図である。
【図８】図７の支柱における圧縮荷重受け部の構成を示す斜視図である。
【図９】図７における押付け金具の詳細構成図であって、（ａ）は正面図、（ｂ）は上面図を示す。
【図１０】図７における引張金具の詳細構成図であって、（ａ）は正面図、（ｂ）は側面図を示す。
【図１１】図７のスタンドを部品から組立てる手順を説明するのに用いられる側面図である。
【図１２】従来の床置き型スタンド及びこれに取付けられている大型の画像表示装置を示す正面図である。
【図１３】従来の床置き型スタンド及びこれに取付けられている大型の画像表示装置を示す側面図である。
【図１４】従来の床置き型スタンドの重心位置から、これに取付けられている大型の画像表示装置の重心位置を前後方向にずらした状態を示す図である。
【符号の説明】
【００８０】
２  ディスプレイ
３  台座プレート
４  スタンド
５  引張荷重受け部
６  圧縮荷重受け部
７  張力調整用ネジ
８  ナットプレート
９  締結ブラケット
１０  固定ネジ
１１  スタンド
１２  引張荷重受け部
１３  圧縮荷重受け部
１４  張力調整用ネジ
１５  押付け金具
１６  段付きネジ
１７  引張金具
１８  引張ネジ
１９  段付きネジ
【図１】
0004871827.tif 000002
【図２】
0004871827.tif 000003
【図３】
0004871827.tif 000004
【図４】
0004871827.tif 000005
【図５】
0004871827.tif 000006
【図６】
0004871827.tif 000007
【図７】
0004871827.tif 000008
【図８】
0004871827.tif 000009
【図９】
0004871827.tif 000010
【図１０】
0004871827.tif 000011
【図１１】
0004871827.tif 000012
【図１２】
0004871827.tif 000013
【図１３】
0004871827.tif 000014
【図１４】
0004871827.tif 000015